【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
複数の表示画素を含む表示部と、
駆動すべき水平ラインを指示するためのアドレス情報を生成する制御部と、
前記アドレス情報により指定された水平ラインを駆動するために設定された単位駆動期間内に、複数ビットからなる階調コードの各ビットの重みに応じた駆動間隔で、各ビットの値に応じて表示画素を駆動する駆動部と
を備え、
前記制御部は、前記単位駆動期間の開始タイミングを任意に設定する
表示装置。
【請求項２】
前記制御部は、前記表示部における水平ラインの配列順とは異なる順番で前記単位駆動期間を開始するように開始タイミングを設定する
請求項１に記載の表示装置。
【請求項３】
各フレーム期間は、互いに等しい時間幅の複数のサブフレーム期間を含み、
前記制御部は、前記サブフレーム期間を単位として、前記開始タイミングを設定する
請求項２に記載の表示装置。
【請求項４】
各サブフレーム期間は、互いに等しい時間幅の複数の水平期間に分割され、
前記駆動部は、前記水平期間を単位として、前記表示画素を駆動する
請求項３に記載の表示装置。
【請求項５】
前記制御部は、水平期間ごとに、前記アドレス情報を前記駆動部に供給する
請求項４に記載の表示装置。
【請求項６】
前記制御部は、次の水平期間において駆動すべき水平ラインのアドレス情報を前記駆動部に供給する
請求項５に記載の表示装置。
【請求項７】
前記制御部は、現在の水平期間において駆動すべき水平ラインのアドレス情報を生成する
請求項５に記載の表示装置。
【請求項８】
前記制御部は、前記アドレス情報をシリアル信号として出力する
請求項１から請求項７のいずれか一項に記載の表示装置。
【請求項９】
前記制御部は、前記階調コードの各ビットを所定のビット幅を有するバスにパラレル信号として出力するとともに、そのバスの少なくとも一部に前記アドレス情報をパラレル信号として出力する
請求項４から請求項７のいずれか一項に記載の表示装置。
【請求項１０】
前記制御部は、各水平期間において、前記階調コードの各ビットの前に前記アドレス情報を配置する
請求項９に記載の表示装置。
【請求項１１】
前記駆動部は、
前記アドレス情報に基づいて、駆動すべき水平ラインを選択する走査駆動部と、
前記階調コードの各ビットの値に対応した電圧を表示画素に供給する表示駆動部と、
を有し、
前記制御部は、前記階調コードおよび前記アドレス情報を前記表示駆動部に供給し、
前記表示駆動部は、前記アドレス情報を前記走査駆動部に供給する
請求項９または請求項１０に記載の表示装置。
【請求項１２】
前記制御部は、複数の所定数の水平期間ごとに、前記所定数分の水平ラインの前記アドレス情報を前記駆動部に供給する
請求項４から請求項１１のいずれか一項に記載の表示装置。
【請求項１３】
前記制御部は、水平期間ごとに、複数本分の水平ラインの前記アドレス情報を前記駆動部に供給する
請求項４から請求項１１のいずれか一項に記載の表示装置。
【請求項１４】
前記単位駆動期間の時間は、１フレーム期間の時間と等しい
請求項１から請求項１３のいずれか一項に記載の表示装置。
【請求項１５】
複数の表示画素を含む表示部における、駆動すべき水平ラインを指定するためのアドレス情報を生成する制御部と、
前記アドレス情報により指定された水平ラインを駆動するために設定された単位駆動期間内に、複数ビットからなる階調コードの各ビットの重みに応じた駆動間隔で、各ビットの値に応じて表示画素を駆動する駆動部と
を備え、
前記制御部は、前記単位駆動期間の開始タイミングを任意に設定する
駆動回路。
【請求項１６】
複数の表示画素を含む表示部における、駆動すべき水平ラインを指定するためのアドレス情報を生成し、
前記アドレス情報により指定された水平ラインを駆動するために設定された単位駆動期間内に、複数ビットからなる階調コードの各ビットの重みに応じた駆動間隔で、各ビットの値に応じて表示画素を駆動し、
前記単位駆動期間の開始タイミングを任意に設定する
駆動方法。
【請求項１７】
表示装置と、
前記表示装置を利用した動作制御を行う制御部と
を備え、
前記表示装置は、
複数の表示画素を含む表示部と、
駆動すべき水平ラインを指示するためのアドレス情報を生成する制御部と、
前記アドレス情報により指定された水平ラインを駆動するために設定された単位駆動期間内に、複数ビットからなる階調コードの各ビットの重みに応じた駆動間隔で、各ビットの値に応じて表示画素を駆動する駆動部と
を有し、
前記制御部は、前記単位駆動期間の開始タイミングを任意に設定する
電子機器。
【手続補正２】
【補正対象書類名】明細書
【補正対象項目名】０００９
【補正方法】変更
【補正の内容】
【０００９】
本開示の駆動方法は、複数の表示画素を含む表示部における、駆動すべき水平ラインを指定するためのアドレス情報を生成し、アドレス情報により指定された水平ラインを駆動するために設定された単位駆動期間内に、複数ビットからなる階調コードの各ビットの重みに応じた駆動間隔で、各ビットの値に応じて表示画素を駆動し、単位駆動期間の開始タイミングを任意に設定するものである。
【手続補正３】
【補正対象書類名】明細書
【補正対象項目名】００２４
【補正方法】変更
【補正の内容】
【００２４】
コントローラ２１は、同期信号Ｓsyncに基づいて、変換回路３０、水平駆動回路２３、および垂直駆動回路２２に対してそれぞれ制御信号を供給し、これらがお互いに同期して動作するように制御する回路である。具体的には、コントローラ２１は、変換回路３０に対して制御信号ＣＴＬＡを供給し、水平駆動回路２３に対して制御信号ＣＴＬＢを供給し、垂直駆動回路２２に対して制御信号ＣＴＬＣを供給する。制御信号ＣＴＬＡ，ＣＴＬＢ，ＣＴＬＣとしては、例えば、クロック信号ＣＬＫ、ラッチ信号、フレーム開始信号などが挙げられる。
【手続補正４】
【補正対象書類名】明細書
【補正対象項目名】００３３
【補正方法】変更
【補正の内容】
【００３３】
（全体動作概要）
まず、図１を参照して、立体表示装置１の全体動作概要を説明する。コントローラ２４は、同期信号Ｓsyncに基づいて、変換回路３０、水平駆動回路２３、および垂直駆動回路２２の動作タイミングを制御する制御信号ＣＴＬＡ，ＣＴＬＢ，ＣＴＬＣをそれぞれ生成するとともに、表示パネル１０における、階調コードＣに基づく書込み動作を行う行を設定し、それに基づいてアドレス信号ＡＤＲを生成する。変換回路３０は、同期信号Ｓsyncに同期した映像信号Ｓdispを映像信号Ｓigに変換する。垂直駆動回路２２は、制御信号ＣＴＬＣおよびアドレス信号ＡＤＲに基づいて、走査線信号ＷＳを生成する。水平駆動回路２３は、制御信号ＣＴＬＢおよび信号データＳigに基づいて、データ線信号ＤＴを生成する。表示パネル１０の各画素１１は、データ線信号ＤＴおよび走査線信号ＷＳに基づいて、パルス幅変調により階調表示を行う。
【手続補正５】
【補正対象書類名】明細書
【補正対象項目名】００３９
【補正方法】変更
【補正の内容】
【００３９】
次に、サブフレームＳＦ２内の２番目の水平期間において、同様に、水平駆動回路２３が、階調コードＣのビットｂ２に対応する電圧をデータ線ＤＴＬに印加するとともに、垂直駆動回路２２が、１行目の走査線ＷＳＬ（１）に走査パルスを印加する（図４（Ａ））。これにより、１行目の画素１１には、ビットｂ２の値が書き込まれ、この画素１１は、次に書き込まれるまでの期間（ビットプレーンＢＰ２）、その値を維持する（図４（Ｂ））。
【手続補正６】
【補正対象書類名】明細書
【補正対象項目名】００４０
【補正方法】変更
【補正の内容】
【００４０】
次に、サブフレームＳＦ４内の３番目の水平期間において、水平駆動回路２３が、階調コードＣのビットｂ３に対応する電圧をデータ線ＤＴＬに印加するとともに、垂直駆動回路２２が、１行目の走査線ＷＳＬ（１）に走査パルスを印加する（図４（Ａ））。これにより、１行目の画素１１には、ビットｂ３の値が書き込まれ、この画素１１は、次に書き込まれるまでの期間（ビットプレーンＢＰ３）、その値を維持する（図４（Ｂ））。
【手続補正７】
【補正対象書類名】明細書
【補正対象項目名】０１２４
【補正方法】変更
【補正の内容】
【０１２４】
（１６）複数の表示画素を含む表示部における、駆動すべき水平ラインを指定するためのアドレス情報を生成し、
前記アドレス情報により指定された水平ラインを駆動するために設定された単位駆動期
間内に、複数ビットからなる階調コードの各ビットの重みに応じた駆動間隔で、各ビット
の値に応じて表示画素を駆動し、
前記単位駆動期間の開始タイミングを任意に設定する
駆動方法。
【手続補正８】
【補正対象書類名】図面
【補正対象項目名】図２
【補正方法】変更
【補正の内容】
【図２】
2013068793.tif 000001